(57)【要約】【課題】  映像表示装置本体の接続端子部を囲う枠型の把持可能なハンドルを備えることで接続端子部が破損することを抑制し壁寄せ設置時の接続ケーブルが挟み込まれる事を防止するハンドルを提供することを目的とする。【解決手段】  映像表示装置本体１００の背面に把持可能なハンドル１０５を備え、接続端子部を囲う枠型に形成する。【選択図】  図１
2013105022.tif 000002
【特許請求の範囲】
【請求項１】
映像表示装置のハンドル構造であって、前記映像表示装置は、第一の背面と、第二の背面と、前記第一の背面と前記第二の背面に固定されるとともに、複数の外部接続機器に接続される接続端子とを備え、前記接続端子は前記第一の背面と前記第二の背面との段差による側面に位置する構成において、前記接続端子に接続されるケーブルを囲う枠型に形成した把持可能なハンドル構造。
【請求項２】
映像表示装置における外形部、もしくは前記第一の背面における外形部から位置される第一の形状面と、前記第二の背面における外形部から位置される第二の形状面を有し、
前記第一の形状面は斜面、前記第二の形状面は前記第二の背面と同様面であり、左右に設けられたことを特徴とする請求項１に記載の映像表示装置のハンドル構造。
【請求項３】
前記第一の形状面と、前記第二の形状面に、弾性体を設けたことを特徴とする請求項１に記載の映像表示装置のハンドル構造。
【請求項４】
前記ハンドルにおいて、少なくとも固定部にねじ固定される着脱可能な取付手段を有したことを特徴とする請求項１乃至請求項３の何れか１項に記載の映像表示装置のハンドル構造。
【請求項５】
前記接続端子における上下位置に着脱可能な取付部を有したことを特徴とする請求項１乃至請求項４の何れか１項に記載の映像表示装置のハンドル構造。
【発明の詳細な説明】
【技術分野】
【０００１】
本発明は、映像表示装置に係り、特に高精細表示可能な入出力端子等の外部インターフェースを備えた映像表示装置において、設置する際に接続ケーブルを挟み込んだり突出している入出力端子部を保護する手段を備えた映像表示装置のハンドル構造に関するものである。
【背景技術】
【０００２】
近年、４Ｋ（横解像度が４，０００Ｐｉｘｅｌ程度）等の超高精細な表示可能な表示装置が知られている。
【０００３】
超高精細表示装置の入力表示方法として、１本のケーブルで高解像度を入力する4K/QFHD モード（4096×2160又は3840×2160）の信号を入力する方法がある。一方、複数のケーブルを用いて入力表示する例として、４本のケーブルを用いてフルHDの4倍のQFHD解像度表示方法（3840×2160）とQuad Viewモード（4つの画面にそれぞれHD信号を表示し同時に４つの信号を同時に表示）による表示方法などがある。
【０００４】
ところで、超高精細表示モニタは、高精細のビデオカメラやデジタルカメラで撮影した画像を再生又は編集したりする場合に使用されることもあり、出力機器や各種の入力機器に応じて多くの接続端子が必要となる。
【０００５】
その場合、映像表示装置本体と外部入力機器を複数のケーブルで接続しなければならず、本数が多い事で雑然となり易い。また接続後の表示装置を壁寄せ配置する際にケーブルを挟み込む事があり、入出力端子部が破損する場合がある。
【０００６】
そこで、その対策として、露出した接続端子の保護を行い複数のケーブルをカバーすることが可能な技術が特許文献１によって開示されている。
【０００７】
また、特許文献２では、映像表示装置を設置する場合に、突出している入出力端子部が破損する事がない手法の技術として、映像表示装置の入出力端子部が設置時に背面の壁面に干渉しない位置にストッパーを設け、突出している接続ケーブルの破損を防止する技術が開示されている。
【先行技術文献】
【特許文献】
【０００８】
【特許文献１】特開２００８−１６６０３５号公報
【特許文献２】特許第２６７４９５９号明細書
【発明の概要】
【発明が解決しようとする課題】
【０００９】
しかしながら、４本のケーブルを用いて１画面表示を表示させる超高解像度表示方法や４つの画面にそれぞれHD信号を表示し同時に４つの信号を同時に確認したい場合、複数のケーブルが必要となる。
【００１０】
上述した特許文献１のコネクターカバーを用いて複数本のケーブル保護が可能であるが、部品点数が多くなり接続する際にコネクターカバーを外すと紛失の恐れや付け忘れる問題がある。また、コネクターカバーで接続端子部を蓋をされることで接続端子の位置が、適切であるかどうか接続後に視認できない課題がある。
【００１１】
特許文献２では、入出力端子部が設置時に背面の壁面に干渉しない位置に表示装置を固定させる手法であり、設置する側の机に固定手法があり、別の場所へ表示装置を設置させる場合には、机ごと設置場所に移動させる必要である課題がある。
【００１２】
そこで本発明は、映像表示装置本体の背面に把持可能なハンドルを備え、前記ハンドルは、接続端子部を囲う枠型に形成したことで、接続端子部を保護することが可能となり接続ケーブルを挟み込むことを抑制することができることを目的とする。
【課題を解決するための手段】
【００１３】
上述した課題を解決するために、本発明は、映像表示装置本体の背面に把持可能なハンドルを備え、複数の外部接続機器に接続される接続端子を有する映像表示装置において、前記ハンドルは前記接続端子を保護するために囲う枠型に形成したことを特徴とする。
【発明の効果】
【００１４】
本発明によれば、複数の入出力端子を有する表示装置に於いて、背面に把持可能なハンドルを備え、前記ハンドルは、接続端子部を囲う枠型に形成したことで、接続端子部を保護することが可能となり接続ケーブルを挟み込むことを抑制することができる。
【図面の簡単な説明】
【００１５】
【図１】本発明の実施例を実現する映像表示装置１００の背面斜視図である。
【図２】本発明の実施例1に係る入力端子郡１０４にＤＶＩケーブルが接続され壁寄せ設置された状態の詳細図である。
【図３】本発明の実施例１に係る映像表示装置１００がコーナーに設置された状態の詳細図である。
【図４】本発明の実施例２に係るハンドルの着脱構造をわかり易く図に示したものである。
【図５】本発明の実施例３に係る上側から配置される接続ケーブルの場合、ハンドルが上側にも設置可能である構造をわかり易く図に示したものである。
【発明を実施するための形態】
【００１６】
［実施例１］
以下、本発明の第１の実施例について説明する。
【００１７】
図１は、第１の実施例を実現する映像表示装置１００の背面斜視図である。
【００１８】
入力端子部に実施例として、ＤＶＩケーブルを４本用いてフルＨＤの４倍のＱＦＨＤ解像度の表示方法（３８４０×２１６０）を行った場合で説明する。本実施形態では、接続端子にＤＶＩを用いて説明するが、その他の接続端子を用いても良い。また、接続端子の種類は複数用いても可能である。
【００１９】
映像表示装置１００は、外観部材として図示しない表示面側に外装筐体であるフロントベゼル１０１、背面側に第一の背面１０２と第二の背面１０８から構成される。フロントベゼル１０１は、樹脂成型されたデザイン性を有する前面側の外装部材である。アルミニウムや鋼材の金属を用いて形成しても良い。図示しないフロントベゼル１０１の中央部には、画像を表示するための開口部が設けられ、超高解像度の表示可能な液晶表示パネルが配置されている。
【００２０】
本実施形態では、表示装置として液晶表示装置（Liquid Crystal Display；ＬＣＤ）を用いた場合で説明する。
【００２１】
第一の背面１０２は、前記液晶表示装置や図示しない電源及び制御基板を背面部材で覆う外装部材で上側と下側には、映像表示装置１００の内部温度を調節する為の放熱孔が設けられている。下側には、映像表示装置１００の内部に外気を取り入れる為の吸気孔１０７が配置されている。上側には排気孔１０６が設けられ吸気孔１０７より取り入れられた外気で内部の放熱を行い排気孔１０６より排出する。
【００２２】
第一の背面１０２の中央部には、突出した第二の背面１０８が配置されている。
【００２３】
第二の背面１０８は、映像表示装置１００と外部入力機器とケーブルで接続するための、入力端子郡１０４が左右に配置されている。
【００２４】
ハンドル１０５は、第一の背面１０２の外周形状から延長された形状で、コーナー設置時に空間が確保できるように外形より内側に傾斜させた傾斜面１０３を設けて、入力端子郡１０４を囲う枠型に形成される。
【００２５】
続いて、接続方法について説明する。
【００２６】
入力端子郡１０４に、ＤＶＩケーブル４本を接続する。接続されたケーブルは、ハンドル１０５の中に通す為、最小半径で屈曲させる。この場合、映像表示装置１００に設置されている入力端子郡１０４の位置は、接続されるケーブルが、屈曲可能でハンドル１０５に通せる位置に配置されている。
【００２７】
接続されたケーブルは、ハンドル１０５と第一の背面１０２の中を通すことで結束された状態となりユーザーが所望する接続機器へ繋げられる。
【００２８】
図２及び図３は、本発明の実施形態に係る入力端子郡１０４に実施例としてＤＶＩケーブルが接続され壁寄せ設置された状態の詳細図である。
【００２９】
図２が側面図で図３が壁寄せ設置状態を上から見た図である。
【００３０】
図２と図３を使って壁寄せ設置された状態の実施例を説明する。
【００３１】
ハンドル１０５は、形状が入力端子郡１０４を囲う枠型である為、接続されたＤＶＩケーブルは、ハンドル１０５の中で結束された状態となり壁寄せ設置時に、ケーブルは壁と映像表示装置１００の間で挟み込まれるのを回避する事が可能となる。また壁寄せ設置時に突出した入力端子郡１０４は、ハンドル１０５の外形が壁面に干渉する事により破損することが回避できる。
【００３２】
図１と図３で、コーナー部に設置された場合で説明する。
【００３３】
第一の背面１０２に設けられた排気孔１０６と吸気孔１０７は、壁面の間に空間が確保される為、放熱構造に影響しない事で、壁寄せ設置時に背面の空間距離を気にせず配置することが可能となる。ハンドル１０５に設けられた逃げ面１０３は約４５°の傾斜の形状で形成され、コーナー部に垂直方向に設置された場合でも、ハンドル１０５が上側から把持可能な空間を確保している為、コーナー設置時でも、ハンドル１０５を使用して設置することが可能となる。
【００３４】
ハンドル１０５の外形には弾性体からなる部材を設けても良い。
【００３５】
この結果、複数の入出力端子を有する映像表示装置に於いて、背面に把持可能なハンドルを備え、前記ハンドルは、接続端子部を囲う枠型に形成したことで、接続端子部を保護することが可能となり接続ケーブルを挟み込むことを抑制することができる。
【００３６】
［実施例２］
以下、本発明の第２の実施例について説明する。
【００３７】
第１の実施例で述べた技術により入出力端子が保護され設置時に接続ケーブルを挟み込むことは改善される。
【００３８】
しかし、例えば映像制作現場等で使用される映像表示装置は、高精細のビデオカメラで撮影した画像を再生したり、撮影した映像を編集したりする場合に使用されることもあり、出力機器や各種の入力機器に応じて多くの接続端子が使用され、そのため頻繁に接続ケーブルを替えることがある。
【００３９】
そこで、第２の実施例では、第１の実施例に対し接続ケーブルをハンドルに通す際に作業性を改善する為に着脱可能な形状にしたことである。
【００４０】
図４は、本実施例を実現するハンドルの着脱構造をわかり易く図に示したものである。
【００４１】
ハンドル２００先端には側面からスライドして固定するためのフランジ部２０１形状が配置される。入力端子部２０２の側面には、フランジ部２０１が勘合するためのＴ型の溝が配置されている。
【００４２】
入力端子部２０２は、ケーブルは接続された状態で、ハンドル２００を側面側よりスライドして勘合する。ハンドル２００には、最終固定用ビス２０３が配置されており、スライド勘合させた後に締結を行う。
【００４３】
設置又は運搬の際に使用されるハンドル２００は、主に上下方向に荷重がかかる。フランジ部２０１は、入力端子部２０２の側面よりＴ型の溝をスライドさせて勘合させる為、荷重方向には、しっかりと固定されている為、抜け防止の最終固定用ビス２０３が１本で固定できる事が可能となる。
【００４４】
また、入力端子部２０２へ接続ケーブルが増える場合や接続機器が交換になった場合に、ハンドル２００は、着脱可能な為、容易にケーブルをまとめる事が可能となる。
【００４５】
この結果、着脱可能で把持可能なハンドルを備え、前記ハンドルは、接続端子接続端子部を保護することができ、接続ケーブルをハンドルに通す事が容易にできることが可能となる。
【００４６】
［実施例３］
以下、本発明の第３の実施例について説明する。
【００４７】
第２の実施例で述べた技術によりハンドルの着脱が容易に行なえ、接続端子を保護することが可能となり、ケーブル交換の際の作業性は改善される。
【００４８】
しかし、壁寄せ設置時において接続するケーブルが下側に配置できるとは限らない。また、接続ケーブルの長さも１０ｍ以上の物を使用することもあり接続機器が何処に配置されているのか不明な為、下側に出せない課題がある。
【００４９】
そこで、実施例３では、第２の実施例に対しケーブルが映像表示装置の上側から接続される場合でも入力端子の保護が行なえ容易にハンドルの着脱が行なえるに構造にしたことである。
【００５０】
図５は、本実施例を実現する上側から配置される接続ケーブルの場合、ハンドルが上側にも設置可能であり、ハンドルの着脱が容易に行なえる構造をわかり易く図に示したものである。
【００５１】
実施例２との相違点は、着脱可能なハンドル３００を入力端子郡３０１の上側と下側に配置できることである。
【００５２】
ハンドル３００は、実施例２と同様の映像表示装置の側面方向からスライドして勘合可能なフランジ部が形成されたハンドルである。
【００５３】
入力端子郡３０１は、上側と下側に、側面からハンドル３００が着脱可能なＴ型の溝が配置されている。
【００５４】
入力端子部３０１には、上側から配置されるケーブルが接続される。
【００５５】
上側に配置されるハンドル３００を側面からスライドさせて勘合し最終固定用ビス３０２で固定する。この場合他の接続ケーブルが下側より接続される場合は、下側の設置されるハンドル３００を着脱させることで、下側にも配置される接続ケーブルの場合でもケーブルをクランプすることが可能となる。
【００５６】
この結果、着脱可能で把持可能なハンドルを備え、前記ハンドルは、接続端子接続端子部を保護することができ、接続ケーブルをハンドルに通す事が容易にできることが可能で、接続されるケーブルは、映像表示装置の上側又は下側のどちらか又は両方の場合でも対応することが可能となる。
【符号の説明】
【００５７】
１００  映像表示装置  １０１  フロントベゼル  １０２  第一の背面
１０３  傾斜面        １０４  入力端子郡      １０５  ハンドル
１０６  排気孔        １０７  吸気孔          １０８  第二の背面
２００  ハンドル      ２０１  フランジ部     ２０２ 入力端子部
２０３  最終固定用ビス  ３００  ハンドル    ３０１  入力端子群
３０２  最終固定用ビス    
【図１】
2013105022.tif 000003
【図２】
2013105022.tif 000004
【図３】
2013105022.tif 000005
【図４】
2013105022.tif 000006
【図５】
2013105022.tif 000007